(57)【要約】【課題】簡単な構造で、管路全長を調整して調律し音程補正が可能である。【解決手段】  金管楽器用ピッチ調整装置１００は、調律するための主管抜差１と楽器本体１５との間に配置されて、楽器本体１５の管路全長をスライドにより伸縮自在に変化させるスライド部１１０を有し、スライド部１１０は、楽器本体１５に対して、外部から力が加わらない場合、スライド方向と平行な軸１２の同軸上に配設された等価な一対の圧縮コイルバネ７，８が吊り合うことで楽器本体１５からの距離を一定に保ち、一方、外部から力を加えた場合には、スライド方向に移動が可能となり、管路全長が調節可能となる。また、スライド部１１０が自動停止する位置を任意に決定可能にする調節部材を備える。【選択図】図１
2012155208.tif 000002
【特許請求の範囲】
【請求項１】
調律するための主管抜差と楽器本体との間に配置されて、前記楽器本体の管路全長をスライドにより伸縮自在に変化させるスライド部を有し、
前記スライド部は、前記楽器本体に対して、
外部から力が加わらない場合、スライド方向と平行な軸の同軸上に配設された等価な一対の圧縮コイルバネが吊り合うことで前記楽器本体からの距離を一定に保ち、
一方、外部から力を加えた場合には、スライド方向に移動が可能となり、前記管路全長が調節可能となることを特徴とする金管楽器用ピッチ調整装置。
【請求項２】
前記スライド部が自動停止する位置を任意に決定可能にする調節部材を備えることを特徴とする請求項１に記載の金管楽器用ピッチ調整装置。
【請求項３】
調律するための主管抜差と楽器本体との間に、請求項１または請求項２に記載の金管楽器用ピッチ調整装置を備えることを特徴とする金管楽器。
【発明の詳細な説明】
【技術分野】
【０００１】
この発明は、管路全長を調整して調律可能な金管楽器用ピッチ調整装置及び金管楽器に関する。
【背景技術】
【０００２】
金管楽器は主管抜差を出し入れして、管路全長を変化させることで調律（チューニング）を行っている。すなわち、金管楽器はバルブなどの管路切替機構を使用しなくても、自然倍音と呼ばれる複数の音を演奏可能であるが、特に第５倍音は音程がやや低めになったり、第６倍音は逆にやや高めになる傾向がある。また、第７倍音は音程が低すぎて一般に使われない。
【０００３】
演奏者は、それらの音程を唇の緊張度合いで調整するが、無理な状態の演奏となるので音色に影響してしまう場合がある。また、そのような状態で長時間演奏をすると疲労し耐久力も無くなってしまう。
【０００４】
音程調節は、例えば、図６に示すように、楽器本体１５に設けた主管抜差１を手で出し入れして行うものがあるが、演奏時に行う瞬時の音程調節は、従来の主管抜差１を手で出し入れする方法では不可能であった。
【０００５】
演奏時に音程調節を行うことができるものとして、例えば、ピッチ調整装置が知られており、演奏時にスライド調管をスライドし、演奏されるピッチを調整する（特許文献１，２）。
【先行技術文献】
【特許文献】
【０００６】
【特許文献１】米国特許第４，５１２，２３３号公報
【特許文献２】米国特許第４，２７６，８０４号公報
【発明の概要】
【発明が解決しようとする課題】
【０００７】
この特許文献１のピッチを調整するものでは、スライド調管をスライドさせるために軸が２本用いられ、それぞれの軸にバネが配設される複雑な構造である。また、特許文献２のピッチを調整するものでは、作動体を回転することでロッドを介してスライド調管をスライドさせる同様に複雑な構造である。
【０００８】
この発明が解決しようとする課題は、簡単な構造で、管路全長を調整して調律し音程補正が可能である金管楽器用ピッチ調整装置及び金管楽器を提供することである。
【課題を解決するための手段】
【０００９】
前記課題を解決し、かつ目的を達成するために、この発明は、以下のように構成した。
【００１０】
請求項１に記載の発明は、調律するための主管抜差と楽器本体との間に配置されて、前記楽器本体の管路全長をスライドにより伸縮自在に変化させるスライド部を有し、前記スライド部は、前記楽器本体に対して、外部から力が加わらない場合、スライド方向と平行な軸の同軸上に配設された等価な一対の圧縮コイルバネが吊り合うことで前記楽器本体からの距離を一定に保ち、一方、外部から力を加えた場合には、スライド方向に移動が可能となり、前記管路全長が調節可能となることを特徴とする金管楽器用ピッチ調整装置である。
【００１１】
請求項２に記載の発明は、前記スライド部が自動停止する位置を任意に決定可能にする調節部材を備えることを特徴とする請求項１に記載の金管楽器用ピッチ調整装置である。
【００１２】
請求項３に記載の発明は、調律するための主管抜差と楽器本体との間に、請求項１または請求項２に記載の金管楽器用ピッチ調整装置を備えることを特徴とする金管楽器である。
【発明の効果】
【００１３】
前記構成により、この発明は、以下のような効果を有する。
【００１４】
請求項１乃至請求項３に記載の発明では、調律するための主管抜差と楽器本体との間に、金管楽器用ピッチ調整装置を備え、楽器本体の管路全長をスライド部により伸縮自在に変化させる簡単な構成で、瞬時に音程補正が可能になる。
【図面の簡単な説明】
【００１５】
【図１】第１の実施の形態の金管楽器に備えた金管楽器用ピッチ調整装置を示す図である。
【図２】管路長を短くする方向に移動させた場合を示す図である。
【図３】管路長を長くする方向に移動させた場合を示す図である。
【図４】第２の実施の形態の金管楽器に備えた金管楽器用ピッチ調整装置を示す図である。
【図５】第３の実施の形態の金管楽器に備えた金管楽器用ピッチ調整装置を示す図である。
【図６】従来の金管楽器に備えた金管楽器用ピッチ調整装置を示す図である。
【発明を実施するための形態】
【００１６】
以下、この発明の金管楽器用ピッチ調整装置及び金管楽器の実施の形態について説明する。この発明の実施の形態は、発明の最も好ましい形態を示すものであり、この発明はこれに限定されない。
【００１７】
［第１の実施の形態］
図１は金管楽器に備えた金管楽器用ピッチ調整装置を示す図である。この第１の実施の形態の金管楽器用ピッチ調整装置１００は、調律するための主管抜差１と楽器本体１５との間に配置されて、楽器本体１５の管路全長をスライドにより伸縮自在に変化させるスライド部１１０を有し、このスライド部１１０により演奏されるピッチ（物理的に管内の空気が振動する周波数）を調整する。
【００１８】
スライド部１１０は、第１の外管２、第２の外管３を有し、この第１の外管２にはトリガーリング４が固定され、第１の外管２と第２の外管３は、支柱５によって連結されている。
【００１９】
主管抜差１は、Ｕ字状に形成され、一方の端部１ａに第１の外管２の一方の端部２ａが圧入され、他方の端部１ｂに第２の外管３の一方の端部３ａが圧入されている。第１の外管２の他方の端部２ｂには、第１の中管１３がスライド可能に挿入され、第２の外管３の他方の端部３ｂには、第２の中管１４がスライド可能に挿入されている。第１の中管１３及び第２の中管１４は、それぞれ楽器本体１５の口金１０に固定されている。
【００２０】
第１の外管２には、自由柱６が設けられ、この自由柱６には軸１２が挿通されている。軸１２は、固定柱１１に固定され、この固定柱１１は口金１０に固定され、軸１２はスライド方向と平行に設けられている。
【００２１】
軸１２の先端には、雄ねじ１２ａが形成され、この雄ねじ１２ａにダブルナット９が螺着されている。固定柱１１と自由柱６との間に、第１の圧縮コイルバネ７が軸１２に挿通して設けられ、ダブルナット９と自由柱６との間に、第２の圧縮コイルバネ８が軸１２に挿通して設けられている。
【００２２】
第１の圧縮コイルバネ７と第２の圧縮コイルバネ８の力が吊り合い、自由柱６が固定柱１１とダブルナット９との間隔Ｌ１の中間で停止している。この第１の圧縮コイルバネ７と第２の圧縮コイルバネ８の力が吊り合った状態では、固定柱１１が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に固定柱１１が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【００２３】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８が吊り合うことで楽器本体１５からの距離を一定に保ち、一方、トリガーリング４により外部から力を加えた場合には、スライド方向に移動が可能となり、管路全長が調節可能となる。
【００２４】
また、ダブルナット９を回転して間隔Ｌ１を広くしたり、狭くすると、間隔Ｌ１に応じて第１の圧縮コイルバネ７と第２の圧縮コイルバネ８の力が吊り合い、自由柱６が固定柱１１とダブルナット９との間隔Ｌ１の中間で停止し、スライド部１１０が自動停止する位置を任意に決定可能にし、ダブルナット９が調節部材を構成する。
【００２５】
次に、金管楽器用ピッチ調整装置の作動を、図２及び図３に基づいて説明する。金管楽器は、調律するための主管抜差１と楽器本体１５との間に、金管楽器用ピッチ調整装置１００を備え、楽器本体１５の管路全長をスライドにより伸縮自在に変化させることで、瞬時に音程補正が可能になる。
【００２６】
図２は管路長を短くする方向に移動させた場合を示す図である。金管楽器用ピッチ調整装置１００のスライド部１１０に外部から力が加わらない場合は、図１に示す状態であるが、図２に示すように、演奏者がトリガーリング４の中に指を入れて管路長を短くする方向に指を引けば、支柱５によって連結された第１の外管２と第２の外管３がスライドして移動し、主管抜差１も同時に移動する。
【００２７】
これにより、図１に示すスライド部１１０に外部から力が加わらない場合は、中間停止時で、第１の圧縮コイルバネ７と第２の圧縮コイルバネ８の力が吊り合い、自由柱６が固定柱１１とダブルナット９との間隔Ｌ１の中間で停止していたが、自由柱６により第１の圧縮コイルバネ７が圧縮され、第２の圧縮コイルバネ８が伸び、固定柱１１が固定された口金１０の端面と第１の外管２の端部２ｂの端面との間隔Ｌ２が狭くなり、第１の中管１３の先端部１３ａの端面と主管抜差１の端部１ａの端面との間隔Ｌ３も狭くなり、同様に固定柱１１が固定されない側の口金１０の端面と第２の外管３の端部３ｂの端面との間隔Ｌ２が狭くなり、第２の中管１４の先端部１４ａの端面と主管抜差１の端部１ｂの端面との間隔Ｌ３も狭くなり、管路長が短くなるので音程が上昇する（高くなる）。
【００２８】
特に、良く使う第５倍音の音程が低くなるのを、管路長を短くする方向に移動させることで、容易に音程の補正が可能になる。その結果、演奏者は唇で音程調整をする必要が無くなるので、耐久力が増し、得られる音も無理の無い良好な音色となる。また、第７倍音など、一般に使用されない倍音でも演奏が可能となる。その結果、使用可能な倍音が増加する。また、その倍音に係わる替え指の選択肢も増加する。
【００２９】
図３は管路長を長くする方向に移動させた場合を示す図である。金管楽器用ピッチ調整装置１００のスライド部１１０に外部から力が加わらない場合は、図１に示す状態であるが、図３に示すように、トリガーリング４の中に指を入れて管路長を長くする方向に押せば、支柱５によって連結された第１の外管２と第２の外管３がスライドして移動し、主管抜差１も同時に移動する。
【００３０】
これにより、図１に示すスライド部１１０に外部から力が加わらない場合は、中間停止時で、第１の圧縮コイルバネ７と第２の圧縮コイルバネ８の力が吊り合い、自由柱６が固定柱１１とダブルナット９との間隔Ｌ１の中間で停止しているが、自由柱６により第２の圧縮コイルバネ８が圧縮され、第１の圧縮コイルバネ７が伸び、固定柱１１が固定された口金１０の端面と第１の外管２の端部２ｂの端面との間隔Ｌ２が広がり、第１の中管１３の先端部１３ａの端面と主管抜差１の端部１ａの端面との間隔Ｌ３も広がり、同様に固定柱１１が固定されない側の口金１０の端面と第２の外管３の端部３ｂの端面との間隔Ｌ２が広がり、第２の中管１４の先端部１４ａの端面と主管抜差１の端部１ｂの端面との間隔Ｌ３も広がり、管路長が長くなるので音程が下降する（低くなる）。
【００３１】
したがって、例えば、ジャズなどではブルーノートと呼ばれる４分の１音（半音の半分）低い音を使うことがあるが、管路長を長くする方向に移動させれば、容易にブルーノート演奏も可能となる。
【００３２】
このように、楽器本体１５の管路全長をスライドにより伸縮自在に変化させることで、例えば、オーケストラの演奏者などは、音程に対して厳しい要求がされるが、全ての音に対して音程補正が可能となる。
【００３３】
すなわち、金管楽器では、温度の変化などの影響で調律（チューニング）は、演奏前や演奏中に何度も行うが、トリガーリング４によりスライド部１１０に外部から力を与える簡単な操作で、瞬時に楽器本体１５の管路全長を変化させることができる。
【００３４】
また、トリガーリング４は、第１の外管２に直接固定されており、確実にスライド部１１０をスライドさせることができ、しかも配置スペースの確保が容易である。
【００３５】
［第２の実施の形態］
図４は金管楽器に備えた金管楽器用ピッチ調整装置を示す図である。この第２の実施の形態の金管楽器用ピッチ調整装置１００は、調律するための主管抜差１と楽器本体１５との間に配置されて、楽器本体１５の管路全長をスライドにより伸縮自在に変化させるスライド部１１０を有し、第１の実施の形態と同じ構成は同じ符号を付して説明を省略する。
【００３６】
口金１０には、自由柱６が設けられ、この自由柱６には軸１２が挿通されている。軸１２は、固定柱１１に固定され、この固定柱１１は第１の外管２に固定され、軸１２はスライド方向と平行に設けられている
【００３７】
固定柱１１と自由柱６との間に、第１の圧縮コイルバネ７が軸１２に挿通して設けられ、ダブルナット９と自由柱６との間に、第２の圧縮コイルバネ８が軸１２に挿通して設けられている。
【００３８】
第１の圧縮コイルバネ７と第２の圧縮コイルバネ８の力が吊り合い、自由柱６が固定柱１１とダブルナット９との間隔Ｌ１の中間で停止している。この第１の圧縮コイルバネ７と第２の圧縮コイルバネ８の力が吊り合った状態では、自由柱６が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に自由柱６が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【００３９】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８が吊り合うことで楽器本体１５からの距離を一定に保ち、一方、トリガーリング４により外部から力を加えた場合には、スライド方向に移動が可能となり、管路全長が調節可能となる。
【００４０】
［第３の実施の形態］
図５は金管楽器に備えた金管楽器用ピッチ調整装置を示す図である。この第３の実施の形態の金管楽器用ピッチ調整装置１００は、調律するための主管抜差１と楽器本体１５との間に配置されて、楽器本体１５の管路全長をスライドにより伸縮自在に変化させるスライド部１１０を有し、第１の実施の形態と同じ構成は同じ符号を付して説明を省略する。
【００４１】
それぞれの口金１０は、自由柱６で連結され、この自由柱６には軸１２が挿通されている。軸１２は、固定柱１１に固定され、この固定柱１１は第１の外管２と第２の外管３を連結し、軸１２はスライド方向と平行に設けられている。軸１２の頭部には、トリガーリング４が固定されている。
【００４２】
固定柱１１と自由柱６との間に、第１の圧縮コイルバネ７が軸１２に挿通して設けられ、ダブルナット９と自由柱６との間に、第２の圧縮コイルバネ８が軸１２に挿通して設けられている。
【００４３】
第１の圧縮コイルバネ７と第２の圧縮コイルバネ８の力が吊り合い、自由柱６が固定柱１１とダブルナット９との間隔Ｌ１の中間で停止している。この第１の圧縮コイルバネ７と第２の圧縮コイルバネ８の力が吊り合った状態では、自由柱６が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に自由柱６が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【００４４】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８が吊り合うことで楽器本体１５からの距離を一定に保ち、一方、トリガーリング４により外部から力を加えた場合には、スライド方向に移動が可能となり、管路全長が調節可能となる。
【００４５】
また、トリガーリング４は、軸１２の頭部に固定され、確実にスライド部１１０をスライドさせることができ、しかも配置スペースの確保が容易である。
【産業上の利用可能性】
【００４６】
この発明は、管路全長を調整して調律可能な金管楽器用ピッチ調整装置及び金管楽器に適用でき、簡単な構造で、管路全長を調整して調律し音程補正が可能である。
【符号の説明】
【００４７】
１  主管抜差
２  第１の外管
３  第２の外管
４  トリガーリング
５  支柱
６  自由柱
７  第１の圧縮コイルバネ
８  第２の圧縮コイルバネ
９  ダブルナット
１０  口金
１１  固定柱
１２  軸
１３  第１の中管
１４  第２の中管
１５  楽器本体
１００  金管楽器用ピッチ調整装置
１１０  スライド部
【図１】
2012155208.tif 000003
【図２】
2012155208.tif 000004
【図３】
2012155208.tif 000005
【図４】
2012155208.tif 000006
【図５】
2012155208.tif 000007
【図６】
2012155208.tif 000008
【手続補正書】
【提出日】平成23年11月1日(2011.11.1)
【手続補正１】
【補正対象書類名】特許請求の範囲
【補正対象項目名】全文
【補正方法】変更
【補正の内容】
【特許請求の範囲】
【請求項１】
調律するための主管抜差と楽器本体との間に配置されて、前記楽器本体の管路全長をスライドにより伸縮自在に変化させる外管を有し、
前記外管は、その一方の端部はスライドにより前記楽器本体に対して移動可能であり、他方の端部は圧入により前記主管抜差が出し入れ可能であり、
前記外管に外部から力が加わらない場合には、スライド方向と平行な軸の同軸上に配設された等価な一対の圧縮コイルバネが吊り合うことで前記楽器本体からの距離を一定に保ち、
一方、前記外管に外部から力を加えた場合には、スライド方向に移動が可能となり、前記楽器本体からの距離を変化させて前記管路全長が調節可能とする管路長を調節する機構を備え、
前記管路長を調節する機構は、前記主管抜差とは連結しない構造であり、
調律は、前記主管抜差を前記外管に圧入により出し入れして楽器全体のピッチを調整し、
音程補正は、前記管路長を調節する機構により前記外管を前記楽器本体に対してスライドさせ移動して前記楽器本体からの距離を変化させて前記管路全長を調節することを特徴とする金管楽器用ピッチ調整装置。
【請求項２】
調律するための主管抜差と楽器本体との間に、請求項１に記載の金管楽器用ピッチ調整装置を備えることを特徴とする金管楽器。  
【手続補正２】
【補正対象書類名】明細書
【補正対象項目名】００１０
【補正方法】変更
【補正の内容】
【００１０】
請求項１に記載の発明は、調律するための主管抜差と楽器本体との間に配置されて、前記楽器本体の管路全長をスライドにより伸縮自在に変化させる外管を有し、
前記外管は、その一方の端部はスライドにより前記楽器本体に対して移動可能であり、他方の端部は圧入により前記主管抜差が出し入れ可能であり、
前記外管に外部から力が加わらない場合には、スライド方向と平行な軸の同軸上に配設された等価な一対の圧縮コイルバネが吊り合うことで前記楽器本体からの距離を一定に保ち、
一方、前記外管に外部から力を加えた場合には、スライド方向に移動が可能となり、前記楽器本体からの距離を変化させて前記管路全長が調節可能とする管路長を調節する機構を備え、
前記管路長を調節する機構は、前記主管抜差とは連結しない構造であり、
調律は、前記主管抜差を前記外管に圧入により出し入れして楽器全体のピッチを調整し、
音程補正は、前記管路長を調節する機構により前記外管を前記楽器本体に対してスライドさせ移動して前記楽器本体からの距離を変化させて前記管路全長を調節することを特徴とする金管楽器用ピッチ調整装置である。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
請求項２に記載の発明は、調律するための主管抜差と楽器本体との間に、請求項１に記載の金管楽器用ピッチ調整装置を備えることを特徴とする金管楽器である。
【手続補正５】
【補正対象書類名】明細書
【補正対象項目名】００１４
【補正方法】変更
【補正の内容】
【００１４】
請求項１及び請求項２に記載の発明では、調律するための主管抜差と楽器本体との間に、金管楽器用ピッチ調整装置を備え、楽器本体の管路全長をスライド部により伸縮自在に変化させる簡単な構成で、瞬時に音程補正が可能になる。
【手続補正書】
【提出日】平成23年12月12日(2011.12.12)
【手続補正１】
【補正対象書類名】特許請求の範囲
【補正対象項目名】全文
【補正方法】変更
【補正の内容】
【特許請求の範囲】
【請求項１】
調律するための主管抜差と楽器本体との間に配置されて、前記楽器本体の管路全長をスライドにより伸縮自在に変化させる外管を有し、
前記外管は、その一方の端部はスライドにより前記楽器本体に対して移動可能であり、他方の端部は圧入により前記主管抜差が出し入れ可能であり、
前記外管に設けられた自由柱と、
前記楽器本体に設けられた固定柱と、
前記自由柱に挿通され、一端部を前記固定柱に固定され、スライド方向と平行な軸と、
前記軸の自由端部に設けられ、同軸上の位置を変化させることで前記外管が自動停止する位置を任意に決定可能にする調節部材と、
前記固定柱と前記自由柱の間に軸の同軸上に配設された第１の圧縮コイルバネと、
前記調節部材と前記自由柱の間に軸の同軸上に配設された第２の圧縮コイルバネと、を有し、
前記第１の圧縮コイルバネと前記第２の圧縮コイルバネは等価であり、
前記外管に外部から力が加わらない場合には、スライド方向と平行な軸の同軸上に配設された前記等価な一対の圧縮コイルバネがつり合うことで前記楽器本体からの距離を一定に保ち、
一方、前記外管に外部から力を加えた場合には、スライド方向に移動が可能となり、前記楽器本体からの距離を変化させて前記管路全長が調節可能とし、
前記調節部材は、前記主管抜差とは連結しない構造であり、
調律は、前記主管抜差を前記外管に圧入により出し入れして楽器全体のピッチを調整し、
音程補正は、前記外管を前記楽器本体に対してスライドさせ移動して前記楽器本体からの距離を変化させて前記管路全長を調節することを特徴とする金管楽器用ピッチ調整装置。
【請求項２】
調律するための主管抜差と楽器本体との間に配置されて、前記楽器本体の管路全長をスライドにより伸縮自在に変化させる外管を有し、
前記外管は、その一方の端部はスライドにより前記楽器本体に対して移動可能であり、他方の端部は圧入により前記主管抜差が出し入れ可能であり、
前記楽器本体に設けられた自由柱と、
前記外管に設けられた固定柱と、
前記自由柱に挿通され、一端部を前記固定柱に固定され、スライド方向と平行な軸と、
前記軸の自由端部に設けられ、同軸上の位置を変化させることで前記外管が自動停止する位置を任意に決定可能にする調節部材と、
前記固定柱と前記自由柱の間に軸の同軸上に配設された第１の圧縮コイルバネと、
前記調節部材と前記自由柱の間に軸の同軸上に配設された第２の圧縮コイルバネと、を有し、
前記第１の圧縮コイルバネと前記第２の圧縮コイルバネは等価であり、
前記外管に外部から力が加わらない場合には、スライド方向と平行な軸の同軸上に配設された前記等価な一対の圧縮コイルバネがつり合うことで前記楽器本体からの距離を一定に保ち、
一方、前記外管に外部から力を加えた場合には、スライド方向に移動が可能となり、前記楽器本体からの距離を変化させて前記管路全長が調節可能とし、
前記調節部材は、前記主管抜差とは連結しない構造であり、
調律は、前記主管抜差を前記外管に圧入により出し入れして楽器全体のピッチを調整し、
音程補正は、前記外管を前記楽器本体に対してスライドさせ移動して前記楽器本体からの距離を変化させて前記管路全長を調節することを特徴とする金管楽器用ピッチ調整装置。
【請求項３】
調律するための主管抜差と楽器本体との間に、請求項１または請求項２に記載の金管楽器用ピッチ調整装置を備えることを特徴とする金管楽器。  
【手続補正２】
【補正対象書類名】明細書
【補正対象項目名】００１０
【補正方法】変更
【補正の内容】
【００１０】
請求項１に記載の発明は、調律するための主管抜差と楽器本体との間に配置されて、前記楽器本体の管路全長をスライドにより伸縮自在に変化させる外管を有し、前記外管は、その一方の端部はスライドにより前記楽器本体に対して移動可能であり、他方の端部は圧入により前記主管抜差が出し入れ可能であり、前記外管に設けられた自由柱と、前記楽器本体に設けられた固定柱と、前記自由柱に挿通され、一端部を前記固定柱に固定され、スライド方向と平行な軸と、前記軸の自由端部に設けられ、同軸上の位置を変化させることで前記外管が自動停止する位置を任意に決定可能にする調節部材と、前記固定柱と前記自由柱の間に軸の同軸上に配設された第１の圧縮コイルバネと、前記調節部材と前記自由柱の間に軸の同軸上に配設された第２の圧縮コイルバネと、を有し、前記第１の圧縮コイルバネと前記第２の圧縮コイルバネは等価であり、前記外管に外部から力が加わらない場合には、スライド方向と平行な軸の同軸上に配設された前記等価な一対の圧縮コイルバネがつり合うことで前記楽器本体からの距離を一定に保ち、一方、前記外管に外部から力を加えた場合には、スライド方向に移動が可能となり、前記楽器本体からの距離を変化させて前記管路全長が調節可能とし、前記調節部材は、前記主管抜差とは連結しない構造であり、調律は、前記主管抜差を前記外管に圧入により出し入れして楽器全体のピッチを調整し、音程補正は、前記外管を前記楽器本体に対してスライドさせ移動して前記楽器本体からの距離を変化させて前記管路全長を調節することを特徴とする金管楽器用ピッチ調整装置である。
【手続補正３】
【補正対象書類名】明細書
【補正対象項目名】００１１
【補正方法】変更
【補正の内容】
【００１１】
請求項２に記載の発明は、調律するための主管抜差と楽器本体との間に配置されて、前記楽器本体の管路全長をスライドにより伸縮自在に変化させる外管を有し、前記外管は、その一方の端部はスライドにより前記楽器本体に対して移動可能であり、他方の端部は圧入により前記主管抜差が出し入れ可能であり、前記楽器本体に設けられた自由柱と、前記外管に設けられた固定柱と、前記自由柱に挿通され、一端部を前記固定柱に固定され、スライド方向と平行な軸と、前記軸の自由端部に設けられ、同軸上の位置を変化させることで前記外管が自動停止する位置を任意に決定可能にする調節部材と、前記固定柱と前記自由柱の間に軸の同軸上に配設された第１の圧縮コイルバネと、前記調節部材と前記自由柱の間に軸の同軸上に配設された第２の圧縮コイルバネと、を有し、前記第１の圧縮コイルバネと前記第２の圧縮コイルバネは等価であり、前記外管に外部から力が加わらない場合には、スライド方向と平行な軸の同軸上に配設された前記等価な一対の圧縮コイルバネがつり合うことで前記楽器本体からの距離を一定に保ち、一方、前記外管に外部から力を加えた場合には、スライド方向に移動が可能となり、前記楽器本体からの距離を変化させて前記管路全長が調節可能とし、前記調節部材は、前記主管抜差とは連結しない構造であり、調律は、前記主管抜差を前記外管に圧入により出し入れして楽器全体のピッチを調整し、音程補正は、前記外管を前記楽器本体に対してスライドさせ移動して前記楽器本体からの距離を変化させて前記管路全長を調節することを特徴とする金管楽器用ピッチ調整装置である。
【手続補正４】
【補正対象書類名】明細書
【補正対象項目名】００１２
【補正方法】変更
【補正の内容】
【００１２】
請求項３に記載の発明は、調律するための主管抜差と楽器本体との間に、請求項１または請求項２に記載の金管楽器用ピッチ調整装置を備えることを特徴とする金管楽器である。  
【手続補正５】
【補正対象書類名】明細書
【補正対象項目名】００１４
【補正方法】変更
【補正の内容】
【００１４】
請求項１乃至請求項３に記載の発明では、調律するための主管抜差と楽器本体との間に、金管楽器用ピッチ調整装置を備え、楽器本体の管路全長をスライド部により伸縮自在に変化させる簡単な構成で、瞬時に音程補正が可能になる。
【手続補正６】
【補正対象書類名】明細書
【補正対象項目名】００２２
【補正方法】変更
【補正の内容】
【００２２】
第１の圧縮コイルバネ７と第２の圧縮コイルバネ８の力がつり合い、自由柱６が固定柱１１とダブルナット９との間隔Ｌ１の中間で停止している。この第１の圧縮コイルバネ７と第２の圧縮コイルバネ８の力がつり合った状態では、固定柱１１が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に固定柱１１が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【手続補正７】
【補正対象書類名】明細書
【補正対象項目名】００２３
【補正方法】変更
【補正の内容】
【００２３】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８がつり合うことで楽器本体１５からの距離を一定に保ち、一方、トリガーリング４により外部から力を加えた場合には、スライド方向に移動が可能となり、管路全長が調節可能となる。
【手続補正８】
【補正対象書類名】明細書
【補正対象項目名】００２４
【補正方法】変更
【補正の内容】
【００２４】
また、ダブルナット９を回転して間隔Ｌ１を広くしたり、狭くすると、間隔Ｌ１に応じて第１の圧縮コイルバネ７と第２の圧縮コイルバネ８の力がつり合い、自由柱６が固定柱１１とダブルナット９との間隔Ｌ１の中間で停止し、スライド部１１０が自動停止する位置を任意に決定可能にし、ダブルナット９が調節部材を構成する。
【手続補正９】
【補正対象書類名】明細書
【補正対象項目名】００２７
【補正方法】変更
【補正の内容】
【００２７】
これにより、図１に示すスライド部１１０に外部から力が加わらない場合は、中間停止時で、第１の圧縮コイルバネ７と第２の圧縮コイルバネ８の力がつり合い、自由柱６が固定柱１１とダブルナット９との間隔Ｌ１の中間で停止していたが、自由柱６により第１の圧縮コイルバネ７が圧縮され、第２の圧縮コイルバネ８が伸び、固定柱１１が固定された口金１０の端面と第１の外管２の端部２ｂの端面との間隔Ｌ２が狭くなり、第１の中管１３の先端部１３ａの端面と主管抜差１の端部１ａの端面との間隔Ｌ３も狭くなり、同様に固定柱１１が固定されない側の口金１０の端面と第２の外管３の端部３ｂの端面との間隔Ｌ２が狭くなり、第２の中管１４の先端部１４ａの端面と主管抜差１の端部１ｂの端面との間隔Ｌ３も狭くなり、管路長が短くなるので音程が上昇する（高くなる）。
【手続補正１０】
【補正対象書類名】明細書
【補正対象項目名】００３０
【補正方法】変更
【補正の内容】
【００３０】
これにより、図１に示すスライド部１１０に外部から力が加わらない場合は、中間停止時で、第１の圧縮コイルバネ７と第２の圧縮コイルバネ８の力がつり合い、自由柱６が固定柱１１とダブルナット９との間隔Ｌ１の中間で停止しているが、自由柱６により第２の圧縮コイルバネ８が圧縮され、第１の圧縮コイルバネ７が伸び、固定柱１１が固定された口金１０の端面と第１の外管２の端部２ｂの端面との間隔Ｌ２が広がり、第１の中管１３の先端部１３ａの端面と主管抜差１の端部１ａの端面との間隔Ｌ３も広がり、同様に固定柱１１が固定されない側の口金１０の端面と第２の外管３の端部３ｂの端面との間隔Ｌ２が広がり、第２の中管１４の先端部１４ａの端面と主管抜差１の端部１ｂの端面との間隔Ｌ３も広がり、管路長が長くなるので音程が下降する（低くなる）。
【手続補正１１】
【補正対象書類名】明細書
【補正対象項目名】００３８
【補正方法】変更
【補正の内容】
【００３８】
第１の圧縮コイルバネ７と第２の圧縮コイルバネ８の力がつり合い、自由柱６が固定柱１１とダブルナット９との間隔Ｌ１の中間で停止している。この第１の圧縮コイルバネ７と第２の圧縮コイルバネ８の力がつり合った状態では、自由柱６が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に自由柱６が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【手続補正１２】
【補正対象書類名】明細書
【補正対象項目名】００３９
【補正方法】変更
【補正の内容】
【００３９】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８がつり合うことで楽器本体１５からの距離を一定に保ち、一方、トリガーリング４により外部から力を加えた場合には、スライド方向に移動が可能となり、管路全長が調節可能となる。
【手続補正１３】
【補正対象書類名】明細書
【補正対象項目名】００４３
【補正方法】変更
【補正の内容】
【００４３】
第１の圧縮コイルバネ７と第２の圧縮コイルバネ８の力がつり合い、自由柱６が固定柱１１とダブルナット９との間隔Ｌ１の中間で停止している。この第１の圧縮コイルバネ７と第２の圧縮コイルバネ８の力がつり合った状態では、自由柱６が固定された口金１０の端面と第１の外管２の端部２ｂの端面とが間隔Ｌ２になり、第１の中管１３の先端部１３ａの端面と主管抜差１の端部１ａの端面とが間隔Ｌ３になっており、同様に自由柱６が固定されない側の口金１０の端面と第２の外管３の端部３ｂの端面とが間隔Ｌ２になり、第２の中管１４の先端部１４ａの端面と主管抜差１の端部１ｂの端面とが間隔Ｌ３になっている。
【手続補正１４】
【補正対象書類名】明細書
【補正対象項目名】００４４
【補正方法】変更
【補正の内容】
【００４４】
このように、スライド部１１０は、楽器本体１５に対して、外部から力が加わらない場合、スライド方向と平行な軸１２の同軸上に配設された等価な一対の第１の圧縮コイルバネ７と第２の圧縮コイルバネ８がつり合うことで楽器本体１５からの距離を一定に保ち、一方、トリガーリング４により外部から力を加えた場合には、スライド方向に移動が可能となり、管路全長が調節可能となる。